(57)【要約】【課題】  燃料圧力センサを不要にすることにより低コスト化が図れるとともに、検出誤差や破損が生じない燃料ポンプの異常検出装置を提供すること。【解決手段】  水ジェット推進艇１０が備える燃料ポンプの異常検出装置４０を、異常検出用回路３３ｂと、異常検出用回路３３ｂの電圧値を検出する燃料ポンプ駆動電圧検出部４２と、メーター１４とで構成した。異常検出用回路３３ｂを、燃料ポンプ３３を駆動する燃料ポンプモータ３３ａのバッテリ４５側とアース３３ｃ側との間に設けられた抵抗体を含む回路で構成した。そして、燃料ポンプ駆動電圧検出部４２が検出した電圧値が正常値の上限よりも大きいか、または正常値の下限よりも小さい場合に、メーター１４の警告ランプ１４ｂを点滅させるとともに、ブザー４７を発音させるようにした。また、燃料タンク２０内に取り付けた燃料ポンプモジュール３０内に異常検出用回路３３ｂを収納した。【選択図】  図８
2009092027.tif 000002
【特許請求の範囲】
【請求項１】
燃料ポンプの駆動により燃料タンクから圧送される燃料を用いてエンジンが駆動することによりジェットポンプにより汲み上げられた水を噴射して推進する水ジェット推進艇が備える燃料ポンプの異常検出装置であって、
前記燃料ポンプを駆動する電気モータの電源側とアース側との間に設けられた抵抗体を含む異常検出用回路と、
前記異常検出用回路の電圧値を検出する電圧検出装置と、
前記電圧検出装置が検出した電圧値が正常値の上限よりも大きいか、または正常値の下限よりも小さい場合に、警告を発する警告発生装置と
を備えたことを特徴とする燃料ポンプの異常検出装置。
【請求項２】
前記燃料ポンプと、前記燃料ポンプの駆動により前記燃料タンクから前記エンジンに圧送される燃料の圧力を調整するレギュレータとを含む燃料ポンプモジュールを形成し、前記燃料ポンプモジュール内に前記異常検出用回路を収納した請求項１に記載の燃料ポンプの異常検出装置。
【請求項３】
前記異常検出用回路を前記燃料タンクの内部に位置させるようにして、前記燃料ポンプモジュールを前記燃料タンクに一体的に組み付けた請求項２に記載の燃料ポンプの異常検出装置。
【発明の詳細な説明】
【技術分野】
【０００１】
本発明は、燃料ポンプの駆動により燃料タンクから圧送される燃料を用いてエンジンが駆動することによりジェットポンプが作動して推進する水ジェット推進艇が備える燃料ポンプの異常検出装置に関する。
【背景技術】
【０００２】
水ジェット推進艇の中には、燃料タンクからエンジンに燃料を供給する燃料系の異常を検出するための装置を備えたものがある（例えば、特許文献１参照）。この水ジェット推進艇では、燃料タンクとエンジンとを結ぶ配管に、配管内を流れる燃料の圧力を検出する燃料圧力センサが設けられている。このため、燃料圧力センサで配管内を流れる燃料の圧力を検出し、その検出値が異常である場合には、燃料系に異常が生じていると判断して燃料ポンプの作動を停止させる等の処置を行うことができる。
【特許文献１】特開２００２−１６１８００号公報
【発明の開示】
【０００３】
しかしながら、前述した従来の水ジェット推進艇が備える燃料圧力センサは、通常歪みゲージや信号増幅・変換のための回路などを含んだ精密機器で構成されており、振動の影響を受け易い構造になっている。また、水ジェット推進艇は、スポーツ性の高い小型船舶であり、波のある水上を高速で航走するため激しい振動に晒される。このため、水ジェット推進艇の振動によって、燃料圧力センサの検出値に誤差が生じたり、燃料圧力センサが破損したりするおそれがある。
【０００４】
このような問題をなくすためには、燃料圧力センサの取付構造を、激しい振動に晒されても燃料圧力センサが故障し難い構造にするとともに、その振動が燃料圧力センサに伝わらないようにする必要がある。また、燃料圧力センサが故障した場合には、燃料圧力センサをその取付構造から容易に着脱して交換できるようにしておく必要がある。このため、水ジェット推進艇に、異常検出装置として燃料圧力センサを用いると、高コスト化、部品点数の増加、組み付け工数の増加、レイアウトの制限等を招くようになる。さらに、水ジェット推進艇に、異常検出装置として燃料圧力センサを用いた場合には、燃料ポンプが一時的に空気を吸い込んで燃料圧力が低下した場合に、燃料ポンプが正常であってもその駆動が異常と判定される虞がある。
【０００５】
本発明は、前述した問題に対処するためになされたものであり、その目的は、燃料圧力センサを不要にすることにより低コスト化が図れるとともに、検出誤差や破損が生じない燃料ポンプの異常検出装置を提供することにある。
【０００６】
前述した目的を達成するため、本発明に係る燃料ポンプの異常検出装置の構成上の特徴は、燃料ポンプの駆動により燃料タンクから圧送される燃料を用いてエンジンが駆動することによりジェットポンプにより汲み上げられた水を噴射して推進する水ジェット推進艇が備える燃料ポンプの異常検出装置であって、燃料ポンプを駆動する電気モータの電源側とアース側との間に設けられた抵抗体を含む異常検出用回路と、異常検出用回路の電圧値を検出する電圧検出装置と、電圧検出装置が検出した電圧値が正常値の上限よりも大きいか、または正常値の下限よりも小さい場合に、警告を発する警告発生装置とを備えたことにある。
【０００７】
このように構成した本発明に係る燃料ポンプの異常検出装置は、燃料圧力センサが検出する燃料圧力から燃料ポンプの異常発生を検出するのではなく、抵抗体を備えた単純な構造の異常検出用回路を用いて燃料ポンプが備える電気モータが作動する際の電圧値を検出することにより燃料ポンプに異常が発生しているか否かを判断するようにしている。この異常検出用回路は振動の影響を受けにくく、破損もし難いため、異常検出用回路を振動から守るための特別な振動対策は不要であり、異常検出用回路の交換を想定する必要もない。
【０００８】
また、燃料圧力センサを用いる場合には、燃料圧力センサの圧力検知部分を燃料配管内に位置させる必要があるが、異常検出用回路を用いるとそのようなことは不要になり、異常検出用回路は、任意の場所に設置することができる。また、本発明では、燃料ポンプが備える電気モータ自体の電圧を検出するため、燃料ポンプが空気を吸い込んでも誤って燃料ポンプの駆動が異常であると判定することはない。なお、本発明において、正常値とは、電気モータが正常に作動していると判断できる所定の範囲であり、予め設定される。
【０００９】
また、本発明に係る燃料ポンプの異常検出装置の他の構成上の特徴は、燃料ポンプと、燃料ポンプの駆動により燃料タンクからエンジンに圧送される燃料の圧力を調整するレギュレータとを含む燃料ポンプモジュールを形成し、燃料ポンプモジュール内に異常検出用回路を収納したことにある。これによると、燃料ポンプおよびレギュレータを含ませた燃料ポンプモジュールを形成したため、燃料ポンプの異常検出装置の主要部分をコンパクトに構成することができる。また、異常検出用回路を燃料ポンプが収納された燃料ポンプモジュール内に収納したため、燃料ポンプと異常検出用回路とを接続する配線を省略化または短絡化できる。
【００１０】
また、本発明に係る燃料ポンプの異常検出装置のさらに他の構成上の特徴は、異常検出用回路を燃料タンクの内部に位置させるようにして、燃料ポンプモジュールを燃料タンクに一体的に組み付けたことにある。水ジェット推進艇が航走する際には、水面の波の状態や水ジェット推進艇の転覆などによって水ジェット推進艇のエンジンルーム内に海水が浸入することが考えられる。この場合、異常検出用回路が、海水に浸かり易い場所に設置されていると、海水に濡れて腐蝕したり塩付きされたりすることがあるが、本発明のように、異常検出用回路を、燃料タンクの内部に位置させることで、異常検出用回路が燃料（蒸散した燃料を含む）に浸かった状態になるため、異常検出用回路に腐蝕や塩付きが生じることを防止できる。
【発明を実施するための最良の形態】
【００１１】
以下、本発明の一実施形態を図面を用いて説明する。図１および図２は、同実施形態に係る燃料ポンプの異常検出装置４０（図７参照）を備えた水ジェット推進艇１０を示している。この水ジェット推進艇１０では、艇体１１がデッキ１１ａとハル１１ｂとで構成されており、その艇体１１の上部における中央よりもやや前部側部分に操舵ハンドル１２が設けられ、艇体１１の上部における中央部にシート１３が設けられている。操舵ハンドル１２は、艇体１１に設けられた操舵軸（図示せず）の上端部に取り付けられており、操舵軸を中心として回転可能になっている。
【００１２】
そして、操舵ハンドル１２の右側（右舷側）のグリップ１２ａの近傍には、スロットルレバー（図示せず）が設けられている。スロットルレバーは、操船者の操作により、基部を中心として回転してグリップ１２ａ側に移動するようになっており、解放時には、グリップ１２ａから離れた状態になる。また、スロットルレバーに接続されるワイヤーには、スロットルレバーの操作量を検出するアクセルポジションセンサ（図示せず）が設けられている。そして、操舵ハンドル１２の中央部には、図３に示した本発明の警告発生装置としてのメーター１４が設けられている。このメーター１４は、水ジェット推進艇１０の航走速度を示す速度計１４ａやＬＥＤからなる警告ランプ１４ｂ等の各表示部および警報を発生するブザー（図示せず）等を備えている。
【００１３】
艇体１１の内部は、前部から中央部にかけて形成されたエンジンルームＥＲと、後部に形成されたポンプルームＰＲとで構成されている。そして、エンジンルームＥＲには、燃料タンク２０、エンジン１５、スロットルバルブ等からなる吸気装置（図示せず）および排気マニホールド１６ａ等からなる排気装置１６などが設置され、ポンプルームＰＲには、ジェットポンプ等からなる推進機１７などが設置されている。また、エンジンルームＥＲ内における前部側には、外部の空気をエンジンルーム内に導くための空気ダクト１５ａが設けられている。この空気ダクト１５ａは、艇体１１の上部からエンジンルームＥＲの底部まで上下に延びるように形成され、外部の空気を上端部から吸い込み、下端部からエンジンルームＥＲ内に導く構成をとっている。
【００１４】
燃料タンク２０は、エンジンルームＥＲの前部側に、図４および図５に示したようにして設置されている。艇体１１の下部を構成するハル１１ｂは二重構造になっており、燃料タンク２０は、ハル１１ｂの内部を構成する内壁１１ｃに、複数の振動吸収材２１ａ，２１ｂを介して設置されている。振動吸収材２１ａは、内壁１１ｃの底面における燃料タンク２０の底部を支持する両側２個所の部分に設けられ、振動吸収材２１ｂは、内壁１１ｃの側面における燃料タンク２０の後側面を除いた３箇所の側面に対向する部分に設けられている。また、内壁１１ｃにおける燃料タンク２０の底部後端に対応する部分に金具２２ａが固定され、内壁１１ｃ（ハル１１ｂ）における燃料タンク２０の上部前端に対応する部分に金具２２ｂが固定されている。
【００１５】
そして、ベルト２３が、燃料タンク２０の上面を内壁１１ｃの底面に対して押え付けた状態で、金具２２ａと金具２２ｂとに掛け渡されている。このため、燃料タンク２０は、振動吸収材２１ａによって艇体１１の振動が直接伝わらないようにして内壁１１ｃに支持されている。また、燃料タンク２０に横ずれが生じた場合には、振動吸収材２１ｂによって、内壁１１ｃから燃料タンク２０の側面が受ける衝撃は緩和される。
【００１６】
燃料タンク２０は、底面が後部よりも前部が高くなった傾斜面に形成された略矩形の容器で構成されており、上面における左右方向の中央でやや後部側の部分に開口２０ａが形成されている。また、燃料タンク２０の上面前端部には、デッキ１１ａに形成された給油口から延びてくる給油管２４に連通する連結開口部２５が形成され、燃料タンク２０の上面後端部には、キャップ２６によって開閉可能になった開口が形成されている。そして、燃料タンク２０の内部には、開口２０ａから上面を露出させた状態で、燃料ポンプモジュール３０が設置されている。
【００１７】
図６に示したように、燃料ポンプモジュール３０は、縦長の円筒体からなる収容箱３１の内部を仕切板３１ａで上下に仕切り、その下方の空間部に、収容部３２を介して、燃料ポンプ３３、レギュレータ３４およびフィルタ３５を設置するとともに、上方の空間部に接続配管３６を配置させて構成されている。収容部３２は、燃料ポンプ３３を収容するポンプ収容部３２ａと、フィルタ３５を収容するフィルタ収容部３２ｂとを備えたケース部材で構成されており、中央に円筒状のポンプ収容部３２ａが形成され、ポンプ収容部３２ａの外周面における下部側を除いた部分に、環状のフィルタ収容部３２ｂが形成されている。
【００１８】
また、収容箱３１の底面からポンプ収容部３２ａの底部上面にかけて、燃料ポンプ３３の駆動により、燃料タンク２０内の燃料を燃料ポンプ３３内に吸い込むための吸引口（図示せず）が形成され、ポンプ収容部３２ａの上部とフィルタ収容部３２ｂとの間には、燃料ポンプ３３を介してポンプ収容部３２ａ内に吸い込まれた燃料をフィルタ収容部３２ｂ側に吐出させるための吐出口（図示せず）が形成されている。ポンプ収容部３２ａに収容された燃料ポンプ３３は、図７に示したように、本発明の電気モータとしての燃料ポンプモータ３３ａと抵抗体を含む異常検出用回路３３ｂとを含んでいる。
【００１９】
そして、燃料ポンプ３３は、燃料ポンプモータ３３ａが作動することにより、燃料タンク２０内の燃料をポンプ収容部３２ａ内に吸い込んで、フィルタ収容部３２ｂに吐出する。また、異常検出用回路３３ｂは燃料ポンプ３３が正常に駆動しているか否かを判断するために利用される。そして、収容部３２の上面部３２ｃにおけるポンプ収容部３２ａの後部（図６の右側）に対応する部分に、ポンプ収容部３２ａの内部に連通した状態でレギュレータ３４が設置されている。このレギュレータ３４は、燃料ポンプ３３の駆動によりポンプ収容部３２ａ内に吸い込まれる燃料の圧力が一定になるように調整する。
【００２０】
また、収容部３２の上面部３２ｃにおけるフィルタ収容部３２ｂの前部に対応する部分に、フィルタ収容部３２ｂの内部に連通するグロメット３６ａが設けられている。このグロメット３６ａに、接続配管３６の下端部が接続されている。接続配管３６は、仕切板３１ａを貫通して収容箱３１の上方の空間部内に延びており、その上端部に逆止弁３６ｂが設けられている。そして、接続配管３６は、逆止弁３６ｂを介して、収容箱３１の上面部３１ｂに形成された燃料取出部３７に接続されている。燃料取出部３７は、収容箱３１の上面部３１ｂを貫通して、収容箱３１の内部から外部に延びる本体部３７ａと、本体部３７ａの上端から屈曲して水平方向後方に延びる接続部３７ｂとで構成されている。そして、接続部３７ｂには、エンジン１５に向って延びる燃料配管（図示せず）の上流端が接続される。
【００２１】
このため、燃料ポンプ３３が駆動すると、燃料タンク２０内の燃料は、吸引口から燃料ポンプ３３を介してポンプ収容部３２ａ内に吸い込まれたのちに、フィルタ収容部３２ｂ内に吐出される。その際、吐出口の近傍に位置するレギュレータ３４によって燃料の圧力が一定になるように調整される。そして、フィルタ収容部３２ｂ内に吐出された燃料は、フィルタ３５によって異物を除去されたのちに、接続配管３６および燃料配管等を通過してエンジン１５に送られる。接続配管３６から燃料取出部３７を介して燃料配管に送られる燃料は、逆止弁３６ｂによって逆流を防止された状態でエンジン１５側に流れていく。
【００２２】
エンジン１５は、エンジンルームＥＲの後部側（艇体１１内の底部中央）に設置されている。エンジン１５には、燃料タンク２０から供給される燃料と外部から取り込んだ空気との混合気をエンジン１５に送り込む吸気装置と、エンジン１５から排出される排気ガスを艇体１１の後端部から外部に放出する排気装置１６とが接続されている。また、図示は省略しているが、エンジン１５は、４サイクル４気筒エンジンからなっており、各気筒を構成する吸気弁と排気弁との開閉駆動により、吸気弁側に設けられた吸気装置から燃料と空気との混合気を取り込み、排気弁側に設けられた排気装置１６に排気ガスを送り出す。
【００２３】
その際、吸気弁側からエンジン１５内に供給される混合気はエンジン１５が備える点火プラグ等からなる点火装置の点火によって爆発し、この爆発によって、エンジン１５内に設けられたピストンが上下に移動する。そして、そのピストンの移動によってクランク軸が回転駆動される。このクランク軸はインペラ軸１７ａに連結されており、エンジン１５の回転力をインペラ軸１７ａに伝達してインペラ軸１７ａを回転駆動させる。また、インペラ軸１７ａの後端部は、艇体１１の後端部に設置された推進機１７のインペラ（図示せず）に連結されており、このインペラの回転によって、水ジェット推進艇１０に推進力が生じる。
【００２４】
推進機１７は、艇体１１の底部に開口する水導入口１７ｂと船尾に開口する水噴射口（図示せず）とを備えており、水導入口１７ｂから導入される海水をインペラの回転により水噴射口から噴射させることにより艇体１１に推進力を生じさせる。そして、推進機１７の後端部には、操舵ハンドル１２の操作に応じて、後部側を左右に移動させることにより、水ジェット推進艇１０の進行方向を左右に変更させるステアリングノズル１８が取り付けられている。
【００２５】
吸気装置は、エンジン１５に接続された吸気管や、吸気管に接続されたスロットルボディ等で構成されている。そして、船外の空気を空気ダクト１５ａおよび吸気ボックス等（図示せず）を介して吸引し、その空気の流量を、スロットルボディ内に設けられたスロットルバルブを開閉操作することにより調節して、エンジン１５に供給する。このスロットルバルブの開度の調節は、操舵ハンドル１２に設けられたスロットルレバーを回転操作することによって行われる。また、その際、エンジン１５に供給される空気に、燃料が混合される。
【００２６】
排気装置１６は、エンジン１５に接続された屈曲した管からなる排気マニホールド１６ａや排気マニホールド１６ａの後端部に接続されたタンク状のウォーターロック１６ｂ等で構成されている。また、ウォーターロック１６ｂの後部上面からは、一旦上方に延びたのちに下方後部に延びて艇体１１の後端下部に開口する排気管が設けられている。排気装置１６は、外部の海水等が、エンジン１５側に浸入することを防止した状態で、排気ガスを外部に排出する。
【００２７】
また、本実施形態に係る燃料ポンプの異常検出装置４０は、前述した各装置の外に、図７に示した燃料ポンプ駆動制御部４１、本発明に係る電圧検出装置としての燃料ポンプ駆動電圧検出部４２およびメーター通信制御部４３を含む電気制御装置４０ａ、燃料ポンプリレー４４、バッテリ４５、メーター１４に備わったブザー４７およびスタートスイッチ等の各種のスイッチやセンサなど水ジェット推進艇１０を走行させるために必要な各種の装置を備えている。また、電気制御装置４０ａは、ＣＰＵ、ＲＯＭ、ＲＡＭおよびタイマ等を含んでおり、燃料ポンプ駆動制御部４１および燃料ポンプ駆動電圧検出部４２は、このＣＰＵ等が実行する各プログラムのうちの一部を実行する装置である。また、メーター通信制御部４３は、燃料ポンプ駆動電圧検出部４２が検出したデータに基づいてメーター１４に警告ランプ１４ｂ点灯やブザー４７吹鳴などの指令データを送信する。
【００２８】
アクセルポジションセンサ、メーター１４、燃料ポンプリレー４４およびバッテリ４５は、それぞれリード線を介して電気制御装置４０ａに接続され、燃料ポンプ３３は、リード線および燃料ポンプリレー４４を介して電気制御装置４０ａに接続されている。また、燃料ポンプ３３の燃料ポンプモータ３３ａに設けられた異常検出用回路３３ｂはリード線を介して電気制御装置４０ａに接続されている。そして、燃料ポンプモータ３３ａが作動する際に、異常検出用回路３３ｂに流れる電流は、信号として燃料ポンプ駆動電圧検出部４２に送信され、燃料ポンプ駆動電圧検出部４２は、この信号と抵抗体の抵抗値に基づいて燃料ポンプ３３の駆動電圧を算出する。
【００２９】
異常検出用回路３３ｂは、燃料ポンプモータ３３ａにおける燃料ポンプリレー４４（バッテリ４５）側部分と、アース３３ｃ側部分との間に設けられている。このため、燃料ポンプ３３を流れる電流は燃料ポンプモータ３３ａを流れるものと、異常検出用回路３３ｂを流れるものとに分かれ、燃料ポンプモータ３３ａが作動すると、異常検出用回路３３ｂを流れる電流は小さくなり、所定の正常範囲内で変動する。そして、燃料ポンプ駆動電圧検出部４２が算出する電圧値は電流に比例するため、異常検出用回路３３ｂの電圧値から燃料ポンプモータ３３ａ（燃料ポンプ３３）が正常に駆動しているか否かを判断することができる。
【００３０】
燃料ポンプ駆動制御部４１は、燃料ポンプ駆動電圧検出部４２の算出に基づいて、燃料ポンプリレー４４の作動を制御する。燃料ポンプリレー４４は、ダイオード４４ａ、コイル４４ｂおよび接点４４ｃで構成されており、コイル４４ｂに所定の電流が流れると接点４４ｃが閉じて、接点４４ｃに接続された燃料ポンプモータ３３ａが回転駆動する。また、コイル４４ｂへの通電が停止すると、接点４４ｃが開いて燃料ポンプモータ３３ａの回転駆動は停止する。ダイオード４４ａは、接点４４ｃがオン、オフするときに発生する逆起電力を吸収する。
【００３１】
そして、燃料ポンプ３３は、ＲＯＭに記憶されたプログラムやＲＡＭに記憶された各種のデータに応じた燃料ポンプ駆動制御部４１の制御によって、駆動したり駆動を停止したりする。本実施形態においては、燃料ポンプモータ３３ａが正常に作動する際の駆動電圧の範囲等がデータとしてＲＡＭに記憶されている。そして、ＲＯＭには、図８に示したプログラムが書き込まれている。このプログラムによると、燃料ポンプ３３に異常が発生して、燃料ポンプ駆動電圧検出部４２が検出する駆動電圧が正常値から外れた場合には、メーター通信制御部４３は、メーター１４に指令データを送信する。そして、警告ランプ１４ｂは点滅し、ブザー４７は警告音を発生する。
【００３２】
以上のように構成された水ジェット推進艇１０を航走させるときには、まず、スタートスイッチをオンに操作することによって、エンジン１５が始動して水ジェット推進艇１０は航走可能な状態になる。そして、シート１３に座った運転者が操舵ハンドル１２を操舵するとともに、スロットルレバーを操作することにより水ジェット推進艇１０は各操作に応じて所定の方向に所定の速度で航走を開始する。なお、スロットルバルブは、アクセルポジションセンサが検出するスロットルレバーの操作量に応じた電気制御装置４０ａの制御により、エンジン１５を駆動させる。この航走の際、燃料ポンプ３３の駆動電圧は、燃料ポンプモータ３３ａに取り付けられた異常検出用回路３３ｂを介して燃料ポンプ駆動電圧検出部４２によって検出され、電圧に異常が生じると、図８に示したプログラムにしたがって警報が発せられる。
【００３３】
すなわち、プログラムは、まず、ステップ１００において開始され、エンジン１５が始動すると、プログラムはステップ１０２に進んで、燃料ポンプモータ３３ａの作動を開始させることによって燃料ポンプ３３を始動させる。これによって、燃料タンク２０内の燃料は燃料ポンプ３３に吸い込まれ、フィルタ３５を通過して異物を除去されたのちに、接続配管３６および燃料配管等を介してエンジン１５に供給される。つぎに、ステップ１０４において、燃料ポンプ３３の駆動電圧値を検出する処理が行われる。この処理は、異常検出用回路３３ｂを流れる電流と抵抗体の抵抗値に基づいて電圧を求めることにより行われる。
【００３４】
つぎに、ステップ１０６において、燃料ポンプ３３の駆動電圧が正常値の範囲内であるか否か、すなわち、燃料ポンプ３３が正常に駆動して駆動電圧が正常値の範囲の上限よりも小さく、下限よりも大きな値であるか否かの判定が行われる。燃料ポンプ３３が正常に駆動して、駆動電圧値が正常値の範囲内であれば、ステップ１０６において、「Ｙｅｓ」と判定してプログラムはステップ１０４に進む。そして、ステップ１０６において「Ｙｅｓ」と判定されている場合は、燃料ポンプ３３はそのまま駆動を継続し、燃料ポンプ駆動制御部４１と燃料ポンプ駆動電圧検出部４２とは、ステップ１０４，１０６の処理を繰り返し実行する。
【００３５】
そして、燃料ポンプ３３に異常が発生して、燃料ポンプ駆動電圧検出部４２が検出する燃料ポンプ３３の駆動電圧値が正常範囲から外れ、ステップ１０６において「Ｎｏ」と判定すると、プログラムはステップ１０８に進む。ステップ１０８においては、警告を発するための処理、すなわち、メーター通信制御部４３が、メーター１４に指令データを送信する処理が行われる。そして、ステップ１１０において、警告ランプ１４ｂが点滅し、ステップ１１２において、ブザー４７が警告音を発音する。つぎに、プログラムはステップ１０４に進み、以下、エンジン１５の駆動を停止させる処理が行われるまで、ステップ１０４〜１１２の処理が繰り返される。
【００３６】
以上のように、本実施形態に係る燃料ポンプの異常検出装置４０は、抵抗体を含む異常検出用回路３３ｂを用いて燃料ポンプ３３が備える燃料ポンプモータ３３ａが作動する際の電圧値を検出することにより燃料ポンプ３３の異常の発生を検出するようにしている。この異常検出用回路３３ｂは、振動の影響を受け難いため、異常検出用回路３３ｂを振動から守るための特別な振動対策は不要になり、異常検出用回路３３ｂを交換する必要も殆ど生じない。また、燃料ポンプ３３が備える燃料ポンプモータ３３ａ自体の電圧を検出するため、燃料ポンプ３３が空気を吸い込んでも誤って燃料ポンプ３３の駆動が異常であると判定することはない。
【００３７】
また、燃料ポンプモジュール３０内に、燃料ポンプ３３およびレギュレータ３４を設けるとともに、燃料ポンプ３３に異常検出用回路３３ｂを設けているため、燃料ポンプの異常検出装置４０の主要部分をコンパクトに構成することができる。また、燃料ポンプ３３に異常検出用回路３３ｂを設けたため、燃料ポンプモータ３３ａと異常検出用回路３３ｂとを接続するリード線を省略化したり、短絡化したりすることができる。さらに、異常検出用回路３３ｂが設けられた燃料ポンプ３３を燃料タンク２０内に位置させるようにして、燃料ポンプモジュール３０を燃料タンク２０に一体的に組み付けている。このため、水ジェット推進艇１０が転覆して、エンジンルームＥＲ内に水が浸入しても、異常検出用回路３３ｂは、燃料に浸かったままの状態になるため、海水等に濡れて腐蝕したり塩付きされたりすることを防止できる。
【図面の簡単な説明】
【００３８】
【図１】本発明の一実施形態に係る燃料ポンプの異常検出装置を備えた水ジェット推進艇を示した側面図である。
【図２】図１に示した水ジェット推進艇の平面図である。
【図３】メーターを示した正面図である。
【図４】燃料タンクの取り付け構造を側面側から示した断面図である。
【図５】燃料タンクの取り付け構造を正面側から示した断面図である。
【図６】燃料ポンプモジュールを示した断面図である。
【図７】燃料ポンプの駆動電圧の検出を行うための各装置を示した構成図である。
【図８】燃料ポンプの駆動電圧の検出を行うためのプログラムを示したフローチャートである。
【符号の説明】
【００３９】
１０…水ジェット推進艇、１４…メーター、１４ｂ…警告ランプ、１５…エンジン、１７…推進機、２０…燃料タンク、３０…燃料ポンプモジュール、３３…燃料ポンプ、３３ａ…燃料ポンプモータ、３３ｂ…異常検出用回路、３３ｃ…アース、３４…レギュレータ、４０…異常検出装置、４５…バッテリ、４７…ブザー。
【図１】
2009092027.tif 000003
【図２】
2009092027.tif 000004
【図３】
2009092027.tif 000005
【図４】
2009092027.tif 000006
【図５】
2009092027.tif 000007
【図６】
2009092027.tif 000008
【図７】
2009092027.tif 000009
【図８】
2009092027.tif 000010